(57)【特許請求の範囲】
【請求項１】
液透過性の表面シートと、液不透過性シートと、これらの間に介在された吸収体とを備えた、使い捨ておむつにおいて、
液透過性を有する袋体と、前記袋体内に密封された高吸収性ポリマーと、前記袋体を包む隠蔽筒体と、袋体の外面のうち前記隠蔽筒体により被覆隠蔽された部分に設けられた排尿表示部とを、前記液不透過性シートの前記表面シート側に備えており、
排尿があり、前記袋体内の高吸収性ポリマーに尿が吸収されると、前記高吸収性ポリマーの膨張に伴い前記袋体が膨張し、その膨張に抗しきれずに前記隠蔽筒体が裂開して、その裂開部分から前記排尿表示部が露出し、この露出した排尿表示部が外部から視認可能となるように構成した、
ことを特徴とする使い捨ておむつ。
【請求項２】
前記隠蔽筒体の外面に、前記排尿表示部とは異なる初期表示部が外部から視認可能なように設けられている、請求項１記載の使い捨ておむつ。
【請求項３】
前記隠蔽筒体における前記排尿表示部と重なる部分又はその近傍に、前記裂開のためのミシン目が設けられている、請求項２記載の使い捨ておむつ。
【請求項４】
前記隠蔽筒体が前記裂開の際に分断し、前記隠蔽筒体における前記排尿表示部と対向していた部分が、前記袋体に対する相対位置の変化により、前記袋体における前記排尿表示部を有しない面と対向するようになる、請求項３記載の使い捨ておむつ。
【請求項５】
前記袋体における少なくとも前記隠蔽筒体による隠蔽部分が、袋体の内方に折り込まれるとともに、この折り込み部に前記排尿表示部が設けられている、請求項１〜４のいずれか１項に記載の使い捨ておむつ。
【請求項６】
前記隠蔽筒体は、前記袋体における前記排尿表示部を有しない面に接合されるとともに、この接合部分以外では前記袋体に接合されていない、請求項１〜５のいずれか１項に記載の使い捨ておむつ。
【請求項７】
前記袋体及び隠蔽筒体が前記表面シートと前記吸収体との間に介在されるとともに、前記排尿表示部が前記袋体における前記表面シート側の面に設けられているか、又は
前記袋体及び隠蔽筒体が前記吸収体と前記液不透過性シートとの間に介在されるとともに、前記排尿表示部が前記袋体における前記液不透過性シート側の面に設けられている、
請求項１〜５のいずれか１項に記載の使い捨ておむつ。
【発明の詳細な説明】
【技術分野】
【０００１】
本発明は、尿等の排泄の有無を知らせる機能を備えた使い捨ておむつに関するものである。
【背景技術】
【０００２】
最近の幼児用のトイレトレーニング用使い捨ておむつには、排尿前には隠蔽（マスキング）されていた排尿表示部が、排尿により外面から視認可能なように浮き上がり、これを装着者である幼児に見せることにより、トイレに行かずにおむつに排尿してしまったことを印象付ける機能を有したものが知られている。
【０００３】
このような隠蔽タイプの排尿表示は、排尿により透明度が向上する隠蔽手段を排尿表示部の外面側に有するものであり、隠蔽手段としては、尿で濡れると密着して透明度が上がる複数枚のシートや、尿により溶解する水溶性インク層が知られている。隠蔽タイプの排尿表示は、排尿表示部の色や形状、素材の制約が少なく、例えばキャラクター等のデザインを適宜のシートに印刷することにより形成することもできる。
【０００４】
他方、トイレトレーニング用以外においても、現在汎用されている使い捨ておむつの多くは、尿等の排泄の有無を呈色によって外部から視認可能とする排尿表示部を備えている（特許文献１〜３参照）。この場合、排尿表示部の呈色（発色又は変色）や消色を外部から視認することにより、排泄の有無を知ることができ、おむつ交換の目安等に用いることができる。
【先行技術文献】
【特許文献】
【０００５】
【特許文献１】特許３５３３２８５号公報
【特許文献２】特開２００８−５４９９１号公報
【特許文献３】特開２００８−９９９４７号公報
【発明の概要】
【発明が解決しようとする課題】
【０００６】
しかし、従来の隠蔽タイプの排尿表示は、排尿後に現れる排尿表示部が排尿前においてもある程度まで透けて見え易いものであり、排尿後に排尿表示部の視認性が高まったとしても意外性に欠け、幼児の興味を引きにくい。
【０００７】
そこで、本発明の主たる課題は、排尿前後においてよりはっきりとした外観変化があり、幼児の興味を引き易い使い捨ておむつを提供することにある。
【課題を解決するための手段】
【０００８】
上記課題を解決した本発明は次記のとおりである。
＜請求項１記載の発明＞
液透過性の表面シートと、液不透過性シートと、これらの間に介在された吸収体とを備えた、使い捨ておむつにおいて、
液透過性を有する袋体と、前記袋体内に密封された高吸収性ポリマーと、前記袋体を包む隠蔽筒体と、袋体の外面のうち前記隠蔽筒体により被覆隠蔽された部分に設けられた排尿表示部とを、前記液不透過性シートの前記表面シート側に備えており、
排尿があり、前記袋体内の高吸収性ポリマーに尿が吸収されると、前記高吸収性ポリマーの膨張に伴い前記袋体が膨張し、その膨張に抗しきれずに前記隠蔽筒体が裂開して、その裂開部分から前記排尿表示部が露出し、この露出した排尿表示部が外部から視認可能となるように構成した、
ことを特徴とする使い捨ておむつ。
【０００９】
（作用効果）
本発明では、排尿表示部は排尿前には隠蔽筒体により隠蔽されており、排尿後に隠蔽筒体が裂開することにより排尿表示部が露出するため、排尿前後において従来よりもはっきりとした外観変化を生み出すことができ、幼児の興味を引き易いものとなる。
【００１０】
＜請求項２記載の発明＞
前記隠蔽筒体の外面に、前記排尿表示部とは異なる初期表示部が外部から視認可能なように設けられている、請求項１記載の使い捨ておむつ。
【００１１】
（作用効果）
隠蔽筒体にこのような初期表示部を設けておくことにより、無から有への外観変化だけでなく、多種多様な外観変化を生み出すことができる。例えば、トイレトレーニング用途においては、初期表示部を笑顔のキャラクターとし、排尿時部を泣き顔のキャラクターとすると、おむつに排尿をした場合キャラクターを泣かせることになるため、トイレでの排尿を促すことができる。
【００１２】
＜請求項３記載の発明＞
前記隠蔽筒体における前記排尿表示部と重なる部分又はその近傍に、前記裂開のためのミシン目が設けられている、請求項２記載の使い捨ておむつ。
【００１３】
（作用効果）
これにより、高吸収性ポリマーの膨張力を利用した隠蔽筒体の裂開がより確実に、所望の位置でなされるようになる。
【００１４】
＜請求項４記載の発明＞
前記隠蔽筒体が前記裂開の際に分断し、前記隠蔽筒体における前記排尿表示部と対向していた部分が、前記袋体に対する相対位置の変化により、前記袋体における前記排尿表示部を有しない面と対向するようになる、請求項３記載の使い捨ておむつ。
【００１５】
（作用効果）
これにより、排尿後に排尿表示部が現れたときには初期表示部が袋体の排尿表示部と反対側に隠れるため、初期表示部が残って排尿表示部と並んで視認されることがなくなり、外観上完全な表示変化が可能となる。
【００１６】
＜請求項５記載の発明＞
前記袋体における少なくとも前記隠蔽筒体による隠蔽部分が、袋体の内方に折り込まれるとともに、この折り込み部に前記排尿表示部が設けられている、請求項１〜４のいずれか１項に記載の使い捨ておむつ。
【００１７】
（作用効果）
排尿表示部を袋体の折り込み部に設けることにより、隠蔽筒体の内側において排尿表示部が袋体の折り込みにより更に隠蔽されることになるため、隠蔽筒体の素材として高い隠蔽性のものを用いずとも、全体として高い隠蔽性を確保することができる。
【００１８】
＜請求項６記載の発明＞
前記隠蔽筒体は、前記袋体における前記排尿表示部を有しない面に接合されるとともに、この接合部分以外では前記袋体に接合されていない、請求項１〜５のいずれか１項に記載の使い捨ておむつ。
【００１９】
（作用効果）
隠蔽筒体の全体が袋体に固定されていなくてもよいが、その場合、隠蔽筒体がずれて、排尿表示部が出現しないおそれがあるため、このように排尿表示部を有しない面に対してのみ接合しておくのが好ましい。
【００２０】
＜請求項７記載の発明＞
前記袋体及び隠蔽筒体が前記表面シートと前記吸収体との間に介在されるとともに、前記排尿表示部が前記袋体における前記表面シート側の面に設けられているか、又は
前記袋体及び隠蔽筒体が前記吸収体と前記液不透過性シートとの間に介在されるとともに、前記排尿表示部が前記袋体における前記液不透過性シート側の面に設けられている、
請求項１〜５のいずれか１項に記載の使い捨ておむつ。
【００２１】
（作用効果）
このような構造により、殆ど多くの使い捨ておむつに対して本発明の袋体及び隠蔽筒体を適用することができる。
【発明の効果】
【００２２】
以上のとおり、本発明によれば、排尿前後においてはっきりとした外観変化があり、幼児の興味を引き易い使い捨ておむつになる等の利点がもたらされる。
【図面の簡単な説明】
【００２３】
【図１】使い捨ておむつの展開状態の表側を示す平面図である。
【図２】使い捨ておむつの展開状態の裏側を示す平面図である。
【図３】図１のＡ−Ａ断面図である。
【図４】図１のＢ−Ｂ断面図である。
【図５】図１のＣ−Ｃ断面図である。
【図６】使い捨ておむつの装着要領を示す斜視図である。
【図７】要部拡大断面図である。
【図８】袋体及び隠蔽筒体の平面図である。
【図９】袋体及び隠蔽筒体の断面図である。
【図１０】使い捨ておむつの展開状態の表側を示す平面図である。
【図１１】袋体及び隠蔽筒体の断面図である。
【図１２】使い捨ておむつの展開状態の表側を示す平面図である。
【発明を実施するための形態】
【００２４】
以下、本発明の一実施形態について添付図面を参照しつつ説明する。
図１〜図７は、パッドタイプ使い捨ておむつ２００を示している。このパッドタイプ使い捨ておむつ２００は、前後方向中央に対して前側に延在する腹側（前側）部分Ｆ１及び後側に延在する背側（後側）部分Ｂ１とを有するものである。各部の寸法は適宜定めることができ、例えば、物品全長（前後方向長さ）Ｌ１は１５０〜４５０ｍｍ程度、全幅Ｗ１は１２０〜２００ｍｍ程度とすることができる。符号Ｌ２は吸収体の前後方向長さを、また符号Ｗ２は吸収体の幅をそれぞれ示している。
【００２５】
パッドタイプ使い捨ておむつ２００は、液不透過性シート２１の内面と、透液性トップシート２２との間に、吸収体２３が介在された基本構造を有している。吸収体２３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体２３は図７に示すようにクレープ紙や不織布等からなる包装シート２８により包むことができる。また、吸収体２３の形状は、相対的に前側の部分が後側の部分よりも幅広な帯状、あるいは長方形状、台形状等、適宜の形状とすることができる。吸収体２３における繊維目付け及び高吸収性ポリマーの目付けは適宜定めることができるが、繊維目付けは１００〜６００ｇ／ｍ2程度とするのが好ましく、また高吸収性ポリマーの目付けは１００〜４００ｇ／ｍ2程度とするのが好ましい。
【００２６】
吸収体２３の裏側には、液不透過性シート２１が吸収体２３の周縁より所定長さ食み出すように設けられている。液不透過性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２７】
液不透過性シート２１の外面（裏面）は、外装シート２５により覆われている。外装シート２５としては各種の不織布を用いる。不織布を用いることによって、後述するように、フックテープ３２の非使用時には、フックテープ３２を外装シート２５に固着させることができる。なお、不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２８】
吸収体２３の表側は、透液性トップシート２２により覆われている。図示形態ではトップシート２２の側縁から吸収体２３が一部食み出しているが、吸収体３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２９】
パッドタイプ使い捨ておむつ２００の前後方向両端部では、外装シート１２および透液性トップシート１が吸収体３の前後端よりも前後両側にそれぞれ延在されて貼り合わされ、吸収体２３の存在しないエンドフラップ部ＥＦが形成されている。
【００３０】
パッドタイプ使い捨ておむつ２００の両側部では、液不透過性シート２１が吸収体２３の側縁よりも外側にそれぞれ延在され、この延在部からトップシート２２の側部までの部分の内面にはギャザーシート２４の幅方向外側の部分２４ｘが前後方向全体にわたり貼り付けられ、吸収体２３の存在しないサイドフラップ部ＳＦを構成している。これらを含め、素材の貼り合わせ部分は、ホットメルト接着剤、ヒートシール、超音波シールにより形成でき、図面では斜線模様で示されている。
【００３１】
これらエンドフラップ部ＥＦ及びサイドフラップ部ＳＦ以外の吸収体介在部分が、排泄物を保持する本体部ＢＤを構成する。
【００３２】
ギャザーシート２４の素材としては、プラスチックシートやメルトブローン不織布を使用することもできるが、肌への感触性の点で、不織布にシリコンなどにより撥水処理をしたものが好適に使用される。
【００３３】
ギャザーシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３４】
両ギャザーシート２４，２４は、幅方向外側の部分２４ｘが前後方向全体にわたり物品内面（図示形態ではトップシート２２表面および外装シート３２内面）に貼り合わされて固定されるとともに、幅方向中央側の部分２４ｃが、前後方向の両端部では物品内面（図示形態ではトップシート２２表面）に貼り合わされて固定され、かつ前後方向の両端部の間では物品内面（図示形態ではトップシート２２表面）に固定されていない。この非固定部分は、図４に示されるように、物品内面（図示形態ではトップシート２２表面）に対して起立可能な立体ギャザーとなる部分であり、その起立基端２４ｂはギャザーシート２４における幅方向外側の固定部分２４ｘと内側の部分２４ｃとの境に位置する。
【００３５】
図２〜図６に示すように、パッドタイプ使い捨ておむつ２００の裏面には、粘着剤層からなるズレ止め部３０が設けられている。このズレ止め部３０としては、フック状突起を多数有するメカニカルファスナーのフックテープ（面ファスナーの雄材）を用いることも可能である。フック状突起の形状としてはキノコ状の他、フック状、レ字状、Ｊ字状、Ｔ字状、ダブルＪ字状（Ｊ字状のものを背合わせに結合した形状のもの）等が存在するが、いずれの形状であっても良い。なお、フックテープはホットメルト接着剤等により取り付けることができる。ズレ止め部３０は、図示例のように、剥離シート３１により剥離可能に被覆しておき、使用時に剥離シート３１を剥離してズレ止め部３０を露出させるのが望ましい。
【００３６】
図示例では、ズレ止め部３０を腹側部分Ｆ１及び背側部分Ｂ１の両者にわたり連続するように設けているが、腹側部分Ｆ１及び背側部分Ｂ１のそれぞれに別々に設けたり、いずれか一方のみに設けたりすることもでき、その数も、複数とするほか、単数とすることもできる。ズレ止め部３０を複数設ける場合、腹側部分Ｆ１及び背側部分Ｂ１に各少なくとも一つは設けるのが好ましい。
【００３７】
ズレ止め部３０は、その全体が本体部ＢＤの範囲内に収まるような寸法及び配置となっているのが好ましい。具体的には、ズレ止め部３０の幅Ｗ３は吸収体２３の幅Ｗ２の７０〜８０％程度、前後方向長さＬ３（前後方向に複数設ける場合は総長さ）は吸収体２３の全長Ｌ２の３０〜４０％程度であるのが好ましい。
【００３８】
（排尿表示部）
特徴的には、図４、図５、図８、図９、及び図１１に示すように、表面シート２２と吸収体２３との間に、液透過性を有する袋体４０と、袋体４０内に密封された高吸収性ポリマー４１と、袋体４０の外周を包む隠蔽筒体５０とを備えており、袋体４０の表面シート２２側の面のうち隠蔽筒体５０により被覆された部分に排尿表示部４２が設けられている。
【００３９】
排尿表示部４２は、キャラクター、文字等のデザインを印刷により袋体４０の素材に直接付加する他、印刷を施したシートを袋体４０の外面に貼り付けることにより間接的に付加しても良い。
【００４０】
図８及び図９に示す例のように、袋体４０における表面シート２２側の部分のうち幅方向中間部が、前後方向に沿う折り目により袋体４０の内方に折り込まれるとともに、この折り込み部４３に排尿表示部４２が設けられていると、隠蔽筒体５０の内側において排尿表示部４２が袋体４０の折り込みにより更に隠蔽されることになるため、隠蔽筒体５０の素材として高い隠蔽性のものを用いずとも、全体として高い隠蔽性を確保することができる。図示例の折り込み形態は、断面がＺ字状となる形態であるが、Ω状、逆さΩ状等にすることもでき、また折り込みを幅方向に複数設け、各折り込み部４３に排尿表示部４２を隠蔽しておいても良い。
【００４１】
もちろん、図１１に示すように袋体４０を折り込むことなく、その表面に排尿表示部４２を設ける形態も採用することができ、その場合、構造が簡素となり、製造も容易であるため好ましい。
【００４２】
袋体４０の寸法は適宜定めることができるが、その幅は吸収体２３の幅Ｗ２の３０〜６０％程度であるのが好ましく、前後方向長さは吸収体２３の前後方向長さＬ２の１０〜３０％程度であるのが好ましい。また、袋体４０の位置は、股間部の範囲、特に物品の前端を０％とし後端を１００％としたとき３０〜７０％の範囲に袋体４０の少なくとも一部が含まれるように配置することが望ましい。さらに、袋体４０及び隠蔽筒体５０は図示例では股間部の前側に一つしか設けていないが、前後方向に間隔を空けて複数設けることもできる。
【００４３】
袋体４０及び隠蔽筒体５０の素材としては、透液性を有していてかつ高吸収性ポリマー４１粒子が密封される（抜け出ない）シートであれば良く、例えば不織布、微小な孔が開いたシート、ティッシュペーパー、特にクレープ紙等を用いることができる。不織布を使用する場合、親水性のもの（親水剤が付与されたもの含む）が好ましい。また、不織布の中でも、スパンボンド不織布層間にメルトブローン不織布層を有する積層不織布（例えばＳＭＳ不織布、ＳＭＭＳ不織布等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００４４】
袋体４０内に密封される高吸収性ポリマー４１（ＳＡＰ）は、吸収体２３に用いるものと同様のものを用いることができ、粉粒状のものや、繊維状のもの等、特に限定されるものではないが、吸水量が４０ｇ／ｇ以上のものが好適である。高吸収性ポリマー４１粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。また、高吸収性ポリマー４１粒子の粒径は１０００μｍ以下、特に１５０〜４００μｍのものが望ましい。また、高吸収性ポリマー４１粒子としては、吸水速度が４０秒以下のものが好適である。
【００４５】
袋体４０内に密封される高吸収性ポリマー４１（ＳＡＰ）の量は適宜定めることができるが、袋体４０の容積に対し、その内部に封入される高吸収性ポリマー４１の吸収飽和時の見かけ容積が１００〜５００％となるようにするのが好ましい。袋体４０がマチ等の厚み方向の伸縮構造を有しない場合、その内部に封入する高吸収性ポリマー４１の量は、１０００ｇ／ｍ2以上、特に１５００〜２０００ｇ／ｍ2程度とするのが好ましい。
【００４６】
なお、袋体４０内には、必要に応じて高吸収性ポリマー４１粒子以外の吸収材、例えばパルプ繊維等の親水性短繊維を混合することもできる。
【００４７】
他方、図示形態では、排尿表示部４２と重なる部分（又はその近傍でも良い）の外面に、排尿表示部４２とは異なる初期表示部５１が設けられている。この初期表示部５１は排尿前において表面シート２２を通して外部から視認可能なように構成される。初期表示部５１は、キャラクター、文字等のデザインを印刷により袋体４０の素材に直接付加する他、印刷を施したシートを袋体４０の外面に貼り付けることにより間接的に付加しても良い。なお、平面的に見て初期表示部５１が排尿表示部４２と重なる場合において、初期表示部５１の濃淡を排尿表示部４２より濃くすると、初期表示部５１が排尿表示部４２を隠蔽する効果が得られるため好ましい。さらに、平面的に見て初期表示部５１が排尿表示部４２と重なる場合において、排尿表示部４２が初期表示部５１の周縁部より内側にのみ設けられていると、同様に、初期表示部５１が排尿表示部４２を隠蔽する効果が得られるため好ましい。
【００４８】
また、図示形態では、隠蔽筒体５０における排尿表示部４２と重なる部分（又はその近傍でも良い）に、前縁から後縁に達するミシン目５２が設けられている。このミシン目５２は隠蔽筒体５０の周方向の繋がりを分断できる限り、前後方向に沿って設けるだけでなく、斜め方向に沿って設けても良い。
【００４９】
このようなパッドタイプ使い捨ておむつにおいては、排尿前には図１、図９（ａ）、図１１（ａ）に示すように、隠蔽筒体５０に設けられた初期表示部５１が外部から視認可能となっている。これに対して、排尿があると、図９（ｂ）、図１１（ｂ）に示すように、袋体４０内の高吸収性ポリマー４１が尿を吸収して膨張するのに伴い袋体４０が膨張し、その膨張に抗しきれずに隠蔽筒体５０が裂開して、その裂開部分から排尿表示部４２が露出し（特に図９に示す形態では折り込み部４３が展開して排尿表示部４２が外側に現出する）、この露出した排尿表示部４２が図１２に示すように外部から視認可能となる。
【００５０】
したがって、排尿表示部４２は排尿前には隠蔽筒体５０により隠蔽されており、排尿後に隠蔽筒体５０が裂開することにより排尿表示部４２が露出するため、排尿前後において従来よりもはっきりとした外観変化を生み出すことができ、幼児の興味を引き易いものとなる。
【００５１】
また、隠蔽筒体５０に初期表示部５１が設けられているため、無から有への外観変化だけでなく、多種多様な外観変化を生み出すことができる。特に図示形態では、トイレトレーニング用途を想定し、初期表示部５１を笑顔のキャラクターの図柄とし、排尿時部を泣き顔のキャラクターの図柄としている。この場合、おむつに排尿をした場合キャラクターを泣かせることになるため、トイレでの排尿を促すことができる。
【００５２】
さらに、図示形態では、裂開のためのミシン目５２が設けられていることにより、高吸収性ポリマー４１の膨張力を利用した隠蔽筒体５０の裂開がより確実に、所望の位置でなされるようになる。
【００５３】
なお、排尿があったときには、図９に示すように袋体４０が大きく膨張し、隠蔽筒体５０における排尿表示部４２と対向していた部分が、袋体４０に対する相対位置の変化により、袋体４０における排尿表示部４２を有しない面（裏面）と対向するようになると、排尿後に排尿表示部４２が現れたときには初期表示部５１が袋体４０の排尿表示部４２と反対側に隠れるため、初期表示部５１が残って排尿表示部４２と並んで視認されることがなくなり、外観上完全な表示変化が可能となるため好ましい。しかし、袋体４０の膨張の程度及び隠蔽筒体５０の初期表示部５１の相対移動は、図１１に示すように、排尿表示部４２が露出する限り、初期表示部５１が隠れずに表示されたままとなる程度であっても良い。
【００５４】
＜その他＞
（ａ）高吸収性ポリマー４１の膨張力により隠蔽筒体５０が裂開して排尿表示部４２が露出する程度に、隠蔽筒体５０の素材が弱い場合（例えば坪量１０〜１５ｇ／ｍ2程度のクレープ紙）には、裂開用ミシン目５２は省略することができる。
（ｂ）袋体４０及び隠蔽筒体５０等の介在部位は、液不透過性シート２１よりも表面シート２２側であれば特に限定されないが、例えばおむつを装着した状態でおむつ外面に排尿表示を行うこともでき、その場合には、吸収体２３と液不透過性シートとの間に介在させるとともに、排尿表示部４２を袋体４０における液不透過性シート側の面に設けるのが望ましい。この場合、袋体４０内の高吸収性ポリマー４１が吸収膨潤していわゆるゲルブロッキングにより厚み方向の液の透過性が低下しても、袋体４０が吸収体２３の下側に位置しているため、表面シート２２側から吸収体２３への液の透過性に影響を与えない利点もある。
（ｃ）隠蔽筒体５０は分断せずに一部（例えば縦方向中間部）残して筒体の裂け目から袋体４０の排尿表示部４２が膨出する形態としても良い。
（ｄ）初期表示部５１は省略することができ、その場合、排尿前においては表示のない部分に、排尿後に排尿表示部４２が出現するようになる。
（ｅ）隠蔽筒体５０の全体が袋体４０に固定されていなくてもよいが、その場合、隠蔽筒体５０がずれて、排尿表示部４２が出現しないおそれがあるため、隠蔽筒体５０は、袋体４０における排尿表示部４２を有しない面にホットメルト接着剤等の接合手段６０により接合し、この接合部分以外では袋体４０に接合しないのが好ましい。
（ｆ）袋体４０及び隠蔽筒体５０は、視認性の観点から外部に最も近い位置に設けるのが好ましい。例えば、図示例の場合は、表面シート２１の直下に設けるのが好ましく、上記（ｂ）の形態では液不透過性シートの直上に設けるのが好ましい。
【産業上の利用可能性】
【００５５】
本発明は、上記例のようなパッドタイプ使い捨ておむつだけでなく、テープタイプやパンツタイプ等、各種の使い捨ておむつに利用できるものである。
【符号の説明】
【００５６】
２１…不透液性バックシート、２２…透液性トップシート、２３…吸収体、２４…ギャザーシート、２５…外装シート、３０…ズレ止め部、３１…剥離シート、４０…袋体、４１…高吸収性ポリマー、４２排尿表示部、５０…隠蔽筒体、５１…初期表示部。
【図１】
0005390550.tif 000002
【図２】
0005390550.tif 000003
【図３】
0005390550.tif 000004
【図４】
0005390550.tif 000005
【図５】
0005390550.tif 000006
【図６】
0005390550.tif 000007
【図７】
0005390550.tif 000008
【図８】
0005390550.tif 000009
【図９】
0005390550.tif 000010
【図１０】
0005390550.tif 000011
【図１１】
0005390550.tif 000012
【図１２】
0005390550.tif 000013